(57)【要約】フェーザー成分分解エンジンおよび方法の改良方式であって、非定値エンベロープ変調信号（例えばＯＦＤＭ）用の成分フェーザーを決定する際にフェーザー反転アルゴリズムを適用する。フェーザー反転アルゴリズムは、直前時刻サンプルと現在時刻サンプルとの間でのフェーザー角度差を比較することにより、帯域幅を増大させる成分フェーザーの急激な位相遷移を回避する。この比較は、変調信号Ｖがゼロの近くまたはゼロを通ったか否かの判定に対応する。Ｖα、Ｖβの計算された位相から結果的に、現在時刻サンプル（Ｎ）において計算された（フェーザーＡの）Ｖαの位相と直前時刻サンプル（Ｎ−１）でのＶAの位相との間の角度差が、現在時刻サンプル（Ｎ）において計算された（フェーザーＢの）Ｖβの位相と直前時刻サンプル（Ｎ−１）でのＶAの位相との角度差より大きくなると判定された場合、フェーザー成分のＶα、Ｖβの位相値が交換されて、ＶAの位相がＶβの位相（すなわちＶA＝Ｖβ）となり、ＶBの位相がＶαの位相（すなわちＶB＝Ｖα）となる。
2006517062.tif 000002
【特許請求の範囲】
【請求項１】
非定値エンベロープ変調信号を表わす複数の等振幅成分フェーザーをデジタル的に決定すべく構成された送信器回路のフェーザー成分分解コンポーネントで使用するフェーザー反転コンポーネントであって、前記成分フェーザーの前記振幅が、前記変調信号の平均振幅からの振幅の変化に対して所定の比率であり、前記フェーザー反転コンポーネントが、予め選択された成分フェーザー間の、直前および現在時刻サンプルの各々で決定された角度差を比較して、前記比較の結果、前記直前時刻サンプルと現在時刻サンプルとの間での第一の前記成分フェーザーの前記角度差が、前記現在時刻サンプルでの第二の前記成分フェーザーと前記直前時刻サンプルでの前記第一の成分フェーザーとの間の角度差より小さい状態から大きい状態へ変化したことが認識された場合、現在時刻サンプルにおいて決定された前記成分フェーザーの位相を交換すべく構成されているフェーザー反転コンポーネント。
【請求項２】
非定値エンベロープ変調信号を表わす複数の等振幅成分フェーザーをデジタル的に決定すべく構成された送信器回路のフェーザー成分分解コンポーネントで使用するフェーザー反転コンポーネントであって、前記成分フェーザーの前記振幅が、前記変調信号の平均振幅からの振幅の変化に対して所定の比率であり、前記フェーザー反転コンポーネントが、前記変調信号の振幅がゼロの近くまたはゼロを通って遷移した場合に、現在時刻サンプルにおいて決定された前記成分フェーザーの位相を交換すべく構成されているフェーザー反転コンポーネント。
【請求項３】
成分フェーザーＶA、ＶBの、現在時刻サンプル（Ｎ）において各々決定された成分フェーザーＶα、Ｖβの位相から結果的に、前記現在時刻サンプルでのＶαの位相と直前時刻サンプル（Ｎ−１）でのＶAの位相との間の角度差が、現在時刻サンプル（Ｎ）でのＶβの位相と直前時刻サンプル（Ｎ−１）でのＶAの位相との間の角度差より大きくなるか否かを判定し、前記結果が生じた場合、ＶαとＶβの位相を交換すべく構成されている、請求項２に記載のフェーザー反転コンポーネント。
【請求項４】
２個の定値・等振幅成分フェーザー用に構成されている、請求項３に記載のフェーザー反転コンポーネント。
【請求項５】
２個の定値・等振幅成分フェーザー用に構成されている、請求項１に記載のフェーザー反転コンポーネント。
【請求項６】
前記振幅がＶMAX／２である、請求項４に記載のフェーザー反転コンポーネント。
【請求項７】
前記振幅がＶMAX／２である、請求項５に記載のフェーザー反転コンポーネント。
【請求項８】
前記角度差の比較が、以下の位相制約すなわち、
αN＝（Ａ，ｉｆ  ｄ1≦ｄ2
（Ｂ，ｉｆ  ｄ1＞ｄ2
および
βN＝（Ｂ，ｉｆ  ｄ1≦ｄ2
（Ａ，ｉｆ  ｄ1＞ｄ2
ここに、Ａ＝Θ＋Φ、Ｂ＝Θ−Φ、および、
ｄ1＝ＡｎｇｌｅＳｅｐａｒａｔｉｏｎ（Ａ−αN-1）
ｄ2＝ＡｎｇｌｅＳｅｐａｒａｔｉｏｎ（Ｂ−αN-1）
により制御されている、請求項５に記載のフェーザー反転コンポーネント。
【請求項９】
非定値エンベロープ変調信号を表現する複数の等振幅成分信号の成分フェーザーを決定する方法であって、前記成分信号の前記振幅が、前記変調の平均振幅からの振幅の変化に対して所定の比率であり、予め選択された成分フェーザー間の、直前と現在時刻サンプルの各々について決定された角度差を比較するステップと、前記比較の結果、前記直前時刻サンプルと現在時刻サンプルとの間での第一の前記成分フェーザーの前記角度差が、前記現在時刻サンプルでの第二の前記成分フェーザーと前記直前時刻サンプルでの前記第一の成分フェーザーとの間の角度差より小さい状態から大きい状態へ変化したことが認識された場合、現在時刻サンプルにおいて決定された前記成分フェーザーの位相を交換するステップとを含む方法。
【請求項１０】
非定値エンベロープ変調信号を表現する複数の等振幅成分信号の成分フェーザーを決定する方法であって、前記成分信号の前記振幅が、前記変調の平均振幅からの振幅の変化に対して所定の比率であり、前記変調信号の振幅がゼロの近くまたはゼロを通って遷移した場合に、現在時刻サンプルにおいて決定された前記成分フェーザーの位相を交換するステップを含む方法。
【請求項１１】
成分フェーザーＶA、ＶBの、現在時刻サンプル（Ｎ）において各々決定された成分フェーザーＶα、Ｖβの位相から結果的に、前記現在時刻サンプルでのＶαの位相と直前時刻サンプル（Ｎ−１）でのＶAの位相との間の角度差が、現在時刻サンプル（Ｎ）でのＶβの位相と直前時刻サンプル（Ｎ−１）でのＶAの位相との間の角度差より大きくなるか否かを判定するステップと、前記結果が生じた場合、ＶαとＶβの位相を交換するステップとを含む、請求項１０に記載の方法。
【請求項１２】
２個の定値・等振幅成分フェーザーを決定する、請求項１１に記載の方法。
【請求項１３】
前記成分信号の前記振幅がＶMAX／２である、請求項１２に記載の方法。
【請求項１４】
前記成分信号の前記振幅が一定かつＶMAX／２に等しい、請求項９に記載の方法。
【請求項１５】
前記角度差の比較が、以下の位相制約すなわち、
αN＝（Ａ，ｉｆ  ｄ1≦ｄ2
（Ｂ，ｉｆ  ｄ1＞ｄ2
および
βN＝（Ｂ，ｉｆ  ｄ1≦ｄ2
（Ａ，ｉｆ  ｄ1＞ｄ2
ここに、Ａ＝Θ＋Φ、Ｂ＝Θ−Φ、および
ｄ1＝ＡｎｇｌｅＳｅｐａｒａｔｉｏｎ（Ａ−αN-1）
ｄ2＝ＡｎｇｌｅＳｅｐａｒａｔｉｏｎ（Ｂ−αN-1）
により制御されている、請求項１３に記載の方法。
【発明の詳細な説明】
【技術分野】
【０００１】
発明の分野
本発明は、非定値エンベロープ、例えば多搬送波ＯＦＤＭ（直交波周波数成分多重）または単一搬送波ＱＡＭ（直交振幅変調）を有する変調信号の処理を改良する計算回路および方法に関する。より具体的には、その種の変調信号を分解して、帯域幅を増大させる急激な位相遷移を避けながらピーク対平均出力比を下げた指標的成分信号に分解する改良版フェーザー成分アルゴリズムを提供する。
【背景技術】
【０００２】
背景
無線および有線アプリケーションの両方でＯＦＤＭやＱＡＭ等の非定値エンベロープ変調方式を実装すべく計算変調が有効に利用されている。ここに、「計算変調」という用語は、計算手段（例えばＤＳＰ）により実行されてデジタル的に生成される変調方式を指す。例えば、有線アプリケーションはｘＤＳＬ搬送システム、無線（ＲＦ）アプリケーションは８０２．１１ａ無線ＬＡＮ標準またはそのバリエーション、あるいはＬＭＤＳやＭＭＤＳ等のブロード帯域固定無線システムであってよい。この種のアプリケーションにおいて、データは通常、変調される前にスクランブル化、コード化、インターリーブされている。無線アプリケーションの場合、計算変調は、信号がデジタル／アナログ変換器（ＤＡＣ）へ送られ、引き続き無線送信のために上方変換されて増幅される前に実行される。
【発明の開示】
【発明が解決しようとする課題】
【０００３】
ＯＦＤＭおよび他の関連多搬送波変調方式は、繰り返し複数の搬送周波数に複数のシンボルを割り当ててＩＦＦＴを計算し、送信すべき時間波形の連続するセグメントを取得することに基づいている。復調判定用の位相基準を確立するために、訓練トーンを複数の搬送周波数全体にわたり周期的に間隔を空けて設けている。ＯＦＤＭ変調にとって重大な問題は、各ＩＦＦＴ動作の時間シーケンス出力の間、極めて高いピーク対平均出力比が生じる恐れがある点である。ピークは、個々の搬送周波数の大多数が同相で整列した際に生じる（時刻サンプルの数が比較的少ないため、ピークが現われた場合、第２のピークが同一ＩＦＦＴ時間セグメント内で生じる可能性は少ない）。
【０００４】
ＲＦ送信器のアップコンバータおよびパワーアンプは各々、歪曲を最小限に抑えながら変調搬送波の周波数偏移および増幅を実行しなければならない。多搬送波ＯＦＤＭまたは単一搬送波ＱＡＭ変調方式において歪曲を最小限にすべく、アップコンバータは極めて高いダイナミックレンジ（すなわち線形でなければならず、そのために高い圧縮点を備えている必要がある）を有しなければならない。また、高いピーク対平均出力比が出現したことに起因して、パワーアンプ用に大出力バックオフ（例えば１２ｄＢ）が必要である。高ダイナミックレンジが必要とされ、かつ大出力バックオフが必要とされる結果、送信機の直流電力消費が膨大になり、無線または有線アプリケーション用のＯＦＤＭおよびＱＡＭの両方に不都合が生じる。
【０００５】
８０２．１１ａ５ＧＨｚ無線標準で現在使用されている設計では、ＯＦＤＭ変調に付随するピーク平均出力比が高いという問題を直接解決することなく、スクランブル化、符号化、ＩＦＦＴ（逆高速フーリエ変換）生成、変調、上方変換、および出力増幅の送信器機能を統合している。本件の譲受人の同時係属である２００２年７月２６日出願の米国特許部分継続出願番号第１０／２０５，７４３号に、８０２．１１ａアーキテクチャで使用する計算変調回路を補足するとともに、出力効率が高く、クラスＤパワーアンプ（クラスＳとも称する）またはクラスＦスイッチモード・パワーアンプ等のダイナミックレンジが制限されたＲＦ回路、および低圧縮点アップコンバータの利用を可能にする回路へのニーズに応える信号成分分解エンジンが開示されている。同時係属中の米国部分継続出願第１０／２０５，７４３号の内容を本明細書において引用している。
【０００６】
しかし、譲受人による上述の成分分解エンジンが生成する成分信号のピーク対平均出力比が低下するのと引き換えに、位相変調率（すなわち帯域幅）の増加を伴なうという代償を支払う。従って、上述の成分分解エンジンでは帯域幅の増加が付随することに対して、改良された成分分解エンジンのニーズがある。
【課題を解決するための手段】
【０００７】
発明の概要
本発明の一態様に従い、非定値エンベロープ変調信号を表わす複数の等振幅成分フェーザー（例えば、記載する実施形態において振幅は一定かつＶMAX／２に等しい）をデジタル的に決定すべく構成された送信器回路のフェーザー成分分解コンポーネントで使用するフェーザー反転コンポーネントを提供する。ここに、成分フェーザーの振幅は、変調信号の平均振幅からの振幅の変化に対して所定の比率である。フェーザー反転コンポーネントは、予め選択された成分フェーザー間の、直前および現在時刻サンプルの各々で決定された角度差を比較すべく構成されている。比較の結果、直前時刻サンプルと現在時刻サンプルとの間での第一の成分フェーザーの角度差が、現在時刻サンプルでの第二の成分フェーザーと直前時刻サンプルでの第一の成分フェーザーとの間の角度差より小さい状態から大きい状態へ変化したことが認識された場合、現在時刻サンプルにおいて決定された成分フェーザーの位相が交換される。
【０００８】
また本発明に従い、変調信号の振幅がゼロの近くまたはゼロを通って遷移した場合に、現在時刻サンプルにおいて決定された成分フェーザーの位相を交換するフェーザー反転コンポーネントおよび方法を提供する。成分フェーザーＶA、ＶBの、現在時刻サンプル（Ｎ）において各々決定された成分フェーザーＶα、Ｖβの位相から結果的に、現在時刻サンプルでのＶαの位相と直前時刻サンプル（Ｎ−１）でのＶAの位相との間の角度差が、現在時刻サンプル（Ｎ）でのＶβの位相と直前時刻サンプル（Ｎ−１）でのＶAの位相との間の角度差より大きくなるか否かを判定する。大きくなる場合、ＶαとＶβ位相が交換される。
【０００９】
角度差の比較は、以下の位相制約により制御することができる。
αN＝（Ａ，ｉｆ  ｄ1≦ｄ2
（Ｂ，ｉｆ  ｄ1＞ｄ2
および
βN＝（Ｂ，ｉｆ  ｄ1≦ｄ2
（Ａ，ｉｆ  ｄ1＞ｄ2
ここに、Ａ＝Θ＋Φ、Ｂ＝Θ−Φ、および、
ｄ1＝ＡｎｇｌｅＳｅｐａｒａｔｉｏｎ（Ａ−αN-1）
ｄ2＝ＡｎｇｌｅＳｅｐａｒａｔｉｏｎ（Ｂ−αN-1）
【００１０】
本発明の更なる態様に従い、非定値エンベロープ変調信号を表現する複数の等振幅成分信号の成分フェーザーを決定する方法を提供する。成分信号の振幅は、変調の平均振幅からの振幅の変化に対して所定の比率である。予め選択された成分フェーザー間の、直前と現在時刻サンプルの各々について決定された角度差を比較して、比較の結果、直前時刻サンプルと現在時刻サンプルとの間での第一の成分フェーザーの角度差が、現在時刻サンプルでの第二の成分フェーザーと直前時刻サンプルでの第一の成分フェーザーとの間の角度差より小さい状態から大きい状態へ変化したことが認識された場合、現在時刻サンプルにおいて決定された成分フェーザーの位相が交換される。
【００１１】
本発明の実施形態について添付の図面を参照しながら詳述する。図面全体を通じて、同一番号は同一要素を示す。
【発明を実施するための最良の形態】
【００１２】
例示的な実施形態の説明
上述の同時係属米国部分継続特許出願第１０／２０５，７４３号に記載されているように、無線または有線送信器用のフェーザー成分分解エンジンは本件譲受人により以前に開発されており、これによりＯＦＤＭまたはＱＡＭ等の変調信号に補完的計算フェーザー成分アルゴリズムが適用される。要するに、フェーザー成分分解エンジンは所定の変調波形を、本明細書で成分フェーザー（信号）と称する大きさの等しい信号コンポーネントに分解する。従って、これらの成分信号は個々に、変調信号より低いピーク対平均出力比を有する。その利点としては、ダイナミックレンジが低く、かつ出力バックオフが小さい多数の同一アナログ回路を用いて、成分信号（具体的には、クラスＤまたはＦパワーアンプおよび無線アプリケーション、低圧縮点アップコンバータ）を更に処理することができる。
【００１３】
成分信号を処理する以下のアナログ回路を再び組み合わせて、変調信号として多搬送波ＯＦＤＭ信号を用いる８０２．１１ａ送信器等により、オリジナルの変調波形を再現する。しかし、フェーザー成分分解エンジンは、単一搬送波ＱＡＭ計算変調器を含む他の非定値エンベロープ変調方式、並びに有線アプリケーションにも適宜応用できる点を理解されたい。
【００１４】
図１に、本発明によるフェーザー反転コンポーネントを備えた成分分解エンジンを示す。フェーザー成分分解エンジンの基本コンポーネントは、譲受人の同時係属米国特許出願第１０／２０５，７４３号に開示されている。本発明は、それらのコンポーネントに対し、成分フェーザーを決定すべくフェーザー反転アルゴリズムを実行するフェーザー反転コンポーネントの形式で改良を加えたものである。反転フェーザー成分分解エンジン８２を、無線ＬＡＮ８０２．１１ａ送信器内のブロック図形式で示す。入力信号５が、スクランブラ１０、エンコーダ２０、およびビット並びに周波数インターリーバ処理ブロック３０，４０により処理される。ＩＦＦＴ６０が実行する変換による信号の変調に続いて、変調信号６５はフェーザー成分分解エンジン８２により分解され、その結果得られてそこから出力される成分信号８５は、各々変調信号６５よりもピーク対平均出力比が向上していて、デジタル／アナログ変換器（ＤＡＣ）９０へ入力される。フェーザー成分分解エンジンから出力された成分信号８５は、直交している必要がない。しかし、出力増幅に続いて、成分分解処理は、出力成分信号８５を再構成可能にするために、抽出された変調信号に対応する信号に対して本質的に線形でなければならない。更なる予備調整および補完的な分解エンジンもまた譲受人により開発されて米国特許出願第１０／２０５，７４３号に開示されているが、フェーザー成分分解エンジンの改良に関する主要発明である本件開示には関係しない。
【００１５】
計算により生成されたＯＦＤＭまたはＱＡＭ信号の場合、変調信号６５は合成（大きさおよび位相）時刻サンプルのシーケンスである。フェーザー成分分解エンジン８２は位相決定およびフェーザー成分処理部を含み、これらは二等辺三角形の特性を利用することにより、当該シーケンスを２個の成分フェーザー（搬送波）用の並列シーケンスに変換する。振幅および位相変化を有する変調信号６５は、各々振幅変化が所定の量だけ減少している２個の信号（すなわち成分フェーザー８５）に変換される。成分フェーザー振幅に所定の比率を与える好適な一次方程式は以下のとおりである。
ＶPHASOR＝ａＶMAX（Ｖ−ＶMIN）／（ＶMAX−ＶMIN）＋ｂＶMIN（ＶMAX−Ｖ）／（ＶMAX−ＶMIN）
＝Ｋ１Ｖ−Ｋ２
ここに、
ＶPHASORは２個の成分フェーザーの各々の振幅（すなわち大きさ）
ＶMAXは変調信号の最大振幅、
Ｖは変調信号の現在の振幅、
ＶMINは変調信号の最小振幅
ａとｂ、およびＫ１とＫ２は定数である。
上式でａ＝０．５およびｂ＝１．０を代入することにより、ピーク対平均出力比を６ｄＢ下げることができる。この制限下で、振幅の変化がゼロまで下がり、各成分フェーザー８５におけるピーク対平均出力比の低下が得られた結果、位相変調率が増大する（その理由は、ピーク対平均出力比の減少幅が大きいほど、位相変調率すなわち帯域幅の増大が大きいためである）点に留意されたい。
【００１６】
上述のフェーザー成分分解アルゴリズムに従い、但し本件によるフェーザー反転の改良なしに実行した信号成分分解を例示することのみを目的として、図２ａ〜２ｄに各々が異なる時点での変調信号Ｖの成分分解を表わす４種のベクトル線図を、また図３に成分分解ステップのフロー図を示す。図２ａ〜２ｄの各ベクトル線図において、変調信号Ｖは２個の振幅が等しい成分フェーザーＡ、Ｂの和で表わされており、ここにＶA、ＶBは共にＫ１Ｖ−Ｋ２に等しく、変調フェーザーＶの時間に依存する大きさおよび位相を追跡すべく連続的に回転される。この例において、成分フェーザーＶA、ＶBの大きさは定数であってサンプル期間を通じたＶの最大値に依存する、すなわち定数Ｖmax／２であるように選択されている。図３のフロー図に最もわかりやすく示すが、角度Φが決定され、各時刻サンプルにおける変調信号Ｖの位相Θに加算および減算されて、成分フェーザーＡ、Ｂ用の２個の位相を生成する。ここに、ＶPHASORがＶmax／２に等しい場合Φ＝ｃｏｓ-1（０．５Ｖ／ＶPHASOR）＝ｃｏｓ-1（Ｖ／ＶMAX）である。従って、フェーザーＡの位相はΘ＋Φ、フェーザーＢの位相はΘ−Φである。このことから、変調信号がゼロ（すなわちＶ＝０）を通って遷移する場合、その成分の位相オフセットΦは９０°に近づく。これは、変調信号がゼロの近くまたはゼロを通って遷移する場合、移送軌道が急激に反転することを表わし、帯域幅が増大する不都合が生じる。
【００１７】
フェーザー成分分解エンジン８２のフェーザー反転コンポーネントは、本明細書に記述する実施形態ではＤＳＰアルゴリズムであり、フェーザー反転コンポーネントが実行するステップを図４ａ〜４ｄ、および図５に示す。
【００１８】
図４ａ〜４ｄのベクトル線図は各々、図２ａ〜２ｄに示したのと同一時点で、変調信号フェーザーＶについてフェーザー成分分解エンジン８２により決定された成分フェーザーＡ、Ｂを示す。すなわち、図４ａ〜４ｄに示す成分フェーザーＶA、ＶBは各々、図２ａ〜２ｄに示すものと同一時刻サンプルにおいて決定されたものであるが、図４ａ〜４ｄはまた、本発明のフェーザー反転コンポーネントの結果も含んでいる。フェーザー反転コンポーネントの実行結果は、図２ｃと４ｃを比較すれば容易にわかる。前者は反転アルゴリズムを適用しない成分分解の結果を示し、後者は反転アルゴリズムの適用により得られた有利な結果を示している。本発明の反転アルゴリズムを使用しない図２ｂ、２ｃからわかるように、ゼロを通る（例えば時刻ｂからｃを通る）変調信号エンベロープ（Ｖ）の遷移により、成分フェーザーＶA、ＶBの位相がその期間中に大幅に変化し、この急激な位相遷移により帯域幅が増大する。
【００１９】
本発明のフェーザー反転アルゴリズムを適用することにより図２ｂ、２ｃに示す急激な位相遷移を回避できる点が有利である。最初に、上述の基本的成分分解ステップに基づいてフェーザー成分Ｖα、Ｖβ（図４ｃの（１）を参照）を決定する。図に示すように、これらのフェーザーは図２ｃのものに対応している。次いで、フェーザー反転コンポーネントにより角度差の比較が行なわれ、変調信号Ｖがゼロの近くにまたはゼロを通ったか否かが判定される。この比較により、Ｖα、Ｖβの計算された位相から結果的に、フェーザーＡについて現在時刻サンプル（Ｎ）において計算されたＶαの位相と直前時刻サンプル（Ｎ−１）でのＶAの位相との間の角度差が、フェーザーＢについて現在時刻サンプル（Ｎ）において計算されたＶβの位相と直前時刻サンプル（Ｎ−１）でのＶAの位相との角度差より大きくなると認識された場合、フェーザー成分のＶα、Ｖβの位相値が交換されて、ＶAの位相がＶβの位相（すなわちＶA＝Ｖβ）となり、ＶBの位相がＶαの位相（すなわちＶB＝Ｖα）となる（図４ｃの（２）参照）。これを数学的に次式で示す。ここに、αNおよびβNは各々、フェーザーＡおよびＢに割り当てられた位相である。
αN＝（Ａ，ｉｆ  ｄ1≦ｄ2
（Ｂ，ｉｆ  ｄ1＞ｄ2
βN＝（Ｂ，ｉｆ  ｄ1≦ｄ2
（Ａ，ｉｆ  ｄ1＞ｄ2
ここに、Ａ＝Θ＋Φ、Ｂ＝Θ−Φ、および
ｄ1＝ＡｎｇｌｅＳｅｐａｒａｔｉｏｎ（Ａ−αN-1）
ｄ2＝ＡｎｇｌｅＳｅｐａｒａｔｉｏｎ（Ｂ−αN-1）
【００２０】
図５のフロー図に、反転フェーザー成分分解コンポーネント（本実施形態ではＤＳＰアルゴリズム）が実行する上述のステップを示す。説明目的でのみ無線送信器のＲＦ回路の概要を破線で示すが、フェーザー成分分解エンジンはまた有線アプリケーションにも利用できることを理解されたい。
【００２１】
フェーザー−成分分解エンジンは、修正された信号を並列な一連のアップコンバータ／パワーアンプに対して適用することにより、無線アプリケーション用のエアインタフェース標準を変えることなくＯＦＤＭ等の波形のピーク対平均出力比を下げる。出力が組み合わされたならば、ＯＦＤＭ波形が再生成される。再生成されたＯＦＤＭ波形が歪まないことを確実にすべく、適切な較正および／または線形化回路（例えば事前歪み）を用いてチャネルゲインおよび位相の差異を補償することが好適である。
【００２２】
本明細書で、フェーザー成分分解エンジン８２全体またはそのフェーザー反転回路コンポーネントを指して用いる「コンポーネント」という用語は、計算（すなわちアルゴリズム的）処理手段全般を指すものであり、いかなる特定の方式を示唆したり要求する意図はない。図に示した実施形態において、上記コンポーネントはＤＳＰアルゴリズムの方式であるが、適切な代替方式を用いてもよい。
【００２３】
上述の実施形態で利用されている個々の電子的な処理機能は、各々当業者が承知しているものである。その他各種の実装方式が当業者により代替的に考案され得ることを理解されたい。電気通信およびコンピュータ装置設計の分野に精通する者であれば、所与の用途に適切に実装すべく本発明を容易に適用することが可能である。従って、本明細書において記述した特定の実施形態が、添付の請求項により定義され、発明者が権利請求する本発明の範囲を限定することを目的としていない点を理解されたい。
【図面の簡単な説明】
【００２４】
図面の簡単な説明
【図１】本発明による反転フェーザー成分分解エンジンを含む無線送信器のコンポーネントを示しているブロック図である。
【図２】異なる時点の各々でフェーザーＶとして示す、変調信号の４種のベクトル線図を示すものであり、ここにフェーザーＶは大きさが等しい２個の成分フェーザーＶA（Ｖmax／２に等しい）とＶB（同じくＶmax／２に等しい）の合計で表わされ、これらのフェーザーは、同時係属の米国特許出願第１０／２０５，７４３号に開示されている、本件譲受人が以前に開発したフェーザー成分分解エンジンに従い、連続的に回転されて、変調フェーザーＶの時間依存する大きさおよび位相を追跡する。本例では、成分フェーザーＶA、ＶBの大きさ（Ｋ１Ｖ−Ｋ２）は、一定かつサンプルの期間にわたるＶの最大値に依存する、すなわち定数Ｖmax／２であるように選ばれる。
【図３】図２に示す２個の成分フェーザーを生成するためにＤＳＰ（デジタル信号プロセッサ）により実行される計算ステップを示すフロー図である（単に説明目的のため破線外形で示される無線送信器のＲＦ回路を用いて、記述したフェーザー成分分解エンジンが有線アプリケーションにも利用できる点を理解されたい）。
【図４】各々図２ａ〜２ｄに示すものと同一時点での変調信号フェーザーＶの４種のベクトル線図を示すが、ここに権利請求する本発明の反転フェーザー成分分解コンポーネントに従いフェーザーＶを成分フェーザーＶA、ＶBへ成分分解する様子を示す。これにより、エンベロープ（すなわちＶ）がゼロを通って遷移するのに伴ない、大きさが等しい２個の成分フェーザーＶA、ＶBが反転（交換）され、当該遷移点に関連付けられた成分フェーザーが急激に位相反転することが回避できる（結果的に帯域幅が大きくなるため、このような急激な位相変化は望ましくない）。
【図５】図４に示す２個の成分フェーザーを生成すべくＤＳＰ（デジタル信号プロセッサ）が実行する計算ステップを示すフロー図であり、本発明による反転フェーザー成分分解コンポーネントを用いる（単に説明目的のため破線外形で示される無線送信器のＲＦ回路を用いて、記述したフェーザー成分分解エンジンが有線アプリケーションにも利用できる点を理解されたい）。
【図１】
2006517062.tif 000003
【図２Ａ】
2006517062.tif 000004
【図２Ｂ】
2006517062.tif 000005
【図２Ｃ】
2006517062.tif 000006
【図２Ｄ】
2006517062.tif 000007
【図３】
2006517062.tif 000008
【図４Ａ】
2006517062.tif 000009
【図４Ｂ】
2006517062.tif 000010
【図４Ｃ】
2006517062.tif 000011
【図４Ｄ】
2006517062.tif 000012
【図５】
2006517062.tif 000013
【国際調査報告】
2006517062.tif 000014
2006517062.tif 000015
2006517062.tif 000016